【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
枠状のシール材によって第１マザー基板と第２マザー基板とが貼り合わされた複合基板を分割して電気光学装置を製造する電気光学装置の製造方法であって、
前記第１マザー基板を前記シール材の外縁に沿って分割する第１分割工程と、
前記第２マザー基板を前記シール材の外縁に沿って分割する第２分割工程と、
を備え、
前記第１分割工程では、少なくとも、前記第１マザー基板の前記第２マザー基板側の面である第１内面から前記第１マザー基板の前記第２マザー基板とは反対側の面である第１外面に向かう途中位置までレーザスクライブにより亀裂を形成する第１レーザスクライブ処理と、前記第１外面から前記亀裂までダイシングソーにより前記第１マザー基板を切断するダイシング処理と、を行い、
前記第２分割工程では、前記第２マザー基板の前記第１マザー基板とは反対側の面である第２外面から前記第２マザー基板の前記第１マザー基板側の面である第２内面までレーザスクライブにより亀裂を形成する第２レーザスクライブ処理を行うことを特徴とする電気光学装置の製造方法。
【請求項２】
請求項１に記載の電気光学装置の製造方法において、
前記第１分割工程では、さらに、前記第１外面に形成した溝を起点に前記第１マザー基板を割断するブレイク処理を行うことを特徴とする電気光学装置の製造方法。
【請求項３】
請求項２に記載の電気光学装置の製造方法において、
前記第１外面に沿って延在する一つの方向を第１方向とし、前記第１外面に沿って前記第１方向と交差する方向を第２方向としたとき、
前記第１分割工程では、前記シール材の前記第１方向の両側に位置する外縁に沿って前記第２方向に延在する第１外形線に沿って前記ブレイク処理によって前記第１マザー基板を割断する第１工程と、前記シール材の前記第２方向の両側に位置する外縁に沿って前記第１方向に延在する第２外形線に沿って前記第１レーザスクライブ処理と前記ダイシング処理とによって前記第１マザー基板を切断する第２工程と、前記シール材に対して前記第１方向の一方側で前記第１外形線と前記シール材との間で前記シール材の前記第１方向の一方側に位置する外縁に沿って前記第２方向に延在する第３外形線に沿って前記ブレイク処理によって前記第１マザー基板を割断する第３工程と、を行い、
前記第２分割工程では、前記シール材の前記第１方向の両側に位置する外縁に沿って前記第２方向に延在する第４外形線に沿って前記第２レーザスクライブ処理により前記第２マザー基板を切断する第４工程と、前記シール材の前記第２方向の両側に位置する外縁に沿って前記第１方向に延在する第５外形線に沿って前記第２レーザスクライブ処理により前記第２マザー基板を切断する第５工程と、を行うことを特徴とする電気光学装置の製造方法。
【請求項４】
請求項３に記載の電気光学装置の製造方法において、
前記第２工程、前記３工程、前記第４工程、前記第５工程を行った後、前記第１工程を行う際には、前記第１外面に粘着シートを貼っておき、前記第１外形線に沿って前記第１マザー基板を割断した後、前記シール材に対して前記第１方向の他方側の前記第１外形線、前記第２外形線、前記第３外形線、前記第４外形線および前記第５外形線に沿って分割された電気光学装置を前記粘着シートから剥離し、前記第１マザー基板において前記シール材に対して前記第１方向の一方側の前記第１外形線、前記第２外形線および前記第３外形線によって分割された分割片を前記粘着シートに残すことを特徴とする電気光学装置の製造方法。
【請求項５】
請求項３または４に記載の電気光学装置の製造方法において、
前記第１工程では、ダイシングソーによって前記溝を形成し、
前記第１分割工程では、前記第３工程の後、前記第３外形線に沿ってダイシングソーによって溝を形成することを特徴とする電気光学装置の製造方法。
【請求項６】
請求項１から５までの何れか一項に記載の電気光学装置の製造方法において、
前記シール材は、全周で繋がっており、
前記第１分割工程および前記第２分割工程を行う前に、前記シール材で囲まれた領域内に液状の電気光学層を設けておくことを特徴とする電気光学装置の製造方法。
【請求項７】
請求項１から６までの何れか一項に記載の電気光学装置の製造方法において、
前記第１マザー基板には、前記シール材で囲まれた領域内に、凹曲面または凸曲面からなるレンズ面と、前記レンズ面を覆うレンズ層とが設けられていることを特徴とする電気光学装置の製造方法。
【請求項８】
第１基板と、
前記第１基板と対向し、前記第１基板から第１方向の一方側に向けて張り出した張り出し部に端子を有する第２基板と、
前記第１基板の側面である第１側面に沿って設けられ、前記第１基板と前記第２基板とを貼り合わせる枠状のシール材と、
前記第１基板と前記第２基板との間に設けられた電気光学層と、
を備え、
前記第１側面のうち、前記第１方向の両側に位置する面、および前記第１方向に対して交差する第２方向の両側に位置する面のいずれかは、前記第１基板の前記第２基板側の面である第１内面から前記第１基板の前記第２基板とは反対側の面である第１外面に向かう途中位置までの第１部分と、前記途中位置から前記第１外面までの第２部分と、有し、
前記第１部分を含む前記第１基板の外縁は、前記第２部分を含む前記第１基板の外縁より平面サイズが大きく、
前記第１部分は、スポット状の熱的改質部分が分布し、
前記第２部分は、前記熱的改質部分が分布せず、
前記第２基板の側面である第２側面のうち、前記第１方向の両側に位置する面、および前記第２方向の両側に位置する面のいずれかには、前記第２基板の前記第１基板側の面である第２内面から前記第２基板の前記第１基板とは反対側の面である第２外面まで前記熱的改質部分が分布していることを特徴とする電気光学装置。
【請求項９】
請求項８に記載の電気光学装置において、
前記第２基板の側面である第２側面のうち、前記第１方向の他方側に位置する面、および前記第２方向の両側に位置する面のいずれかは、前記第１部分と平面視で重なることを特徴とする電気光学装置。
【請求項１０】
請求項８に記載の電気光学装置において、
前記第１側面のうち、前記第２方向の両側に位置する面に前記第１部分および前記第２部分が存在し、
前記第２側面において、前記第１方向の両側に位置する面、および前記第２方向の両側に位置する面のいずれにも前記熱的改質部分が分布していることを特徴とする電気光学装置。
【請求項１１】
請求項１０に記載の電気光学装置において、
前記第１側面のうち、前記第１方向の両側に位置する面は、前記第１外面から前記第１内面に向かう途中位置まで形成された第３部分と、前記第３部分から前記第１内面まで前記第３部分より光散乱性が低い第４部分と、を備えていることを特徴とする電気光学装置。
【請求項１２】
請求項８から１１までの何れか一項に記載の電気光学装置において、
前記シール材は、全周で繋がっており、
前記電気光学層は、液状であることを特徴とする電気光学装置。
【請求項１３】
請求項８乃至１２までの何れか一項に記載の電気光学装置において、
前記第１基板には、前記シール材で囲まれた領域内に、凹曲面または凸曲面からなるレンズ面と、前記レンズ面を覆うレンズ層とが設けられていることを特徴とする電気光学装置。
【請求項１４】
請求項８乃至１３までの何れか一項に記載の電気光学装置を有することを特徴とする電子機器。